(57)【特許請求の範囲】
【請求項１】
ひ口を形成する上部及び下部たて糸が通る櫛を有するリードを備えたおさと、開いたひ口の前記上部及び下部たて糸の間を往復運動をもって動く少なくとも１つの挿入テープと、よこ糸を前記ひ口を通って運ぶように前記挿入テープの一端部に固定したグリッパと、前記おさに間隔を隔てて固定され、前記ひ口が開いている時前記ひ口の下部たて糸を通って突出する複数のガイド歯と、これらガイド歯に設けられ前記挿入テープ及び前記グリッパを案内する当接案内面とを包含する、ひなし織機のグリッパ挿入テープ用のガイド装置において、前記ガイド歯の当接案内面がたて糸の方向に延び、前記たて糸の方向に凸状をなす表面を有し、制御手段と協働することを特徴とするガイド装置。
【請求項２】
請求項１記載のガイド装置において、前記ガイド歯の凸状の表面が、中心が前記おさの揺動軸線と合致し半径が前記挿入テープの下面と前記おさの揺動軸線との間の距離に等しい円弧の形であることを特徴とするガイド装置。
【請求項３】
請求項１記載のガイド装置において、前記ガイド歯の凸状の表面が、中心が前記おさの揺動軸線に近く半径が前記挿入テープの下面と前記おさの揺動軸線との間の距離に等しい円弧の形であることを特徴とするガイド装置。
【請求項４】
請求項１記載のガイド装置において、前記制御手段が、前記グリッパの下面に直接形成した凹状の形状面からなることを特徴とするガイド装置。
【請求項５】
請求項１記載のガイド装置において、前記制御手段が、前記グリッパと一体のブロックからなり、その下部に前記挿入テープの下面と同じ平面に横たわる母線を有する凹状の形状面を包含することを特徴とするガイド装置。
【請求項６】
請求項１記載のガイド装置において、前記制御手段が、前記挿入テープのグリッパ端部の曲がりからなり、この曲がりが、消滅するまで進行的に減少していることを特徴とするガイド装置。
【請求項７】
請求項１記載のガイド装置において、前記制御手段が、前記挿入テープのグリッパ端部に形成され、消滅するまで進行的に減少する曲がりと、前記グリッパと一体に形成され、その下部に前記挿入テープの下面と同じ平面に横たわる母線を有する凹状の形状面を包含するブロックとからなることを特徴とするガイド装置。
【請求項８】
請求項１記載のガイド装置において、前記ガイド歯がテーパ付きの縁部を有することを特徴とするガイド装置。
【発明の詳細な説明】
【０００１】
本発明は、ひなし織機のグリッパ挿入テープ用の新規なガイドシステム、ことにグリッパ挿入テープがまだ、おさに装架したそのガイドと協働しており、ひ口内の下部たて糸の自己位置決めを保証しており、ひ口内にグリッパ挿入テープを有効に案内している間に、案内条件に影響を及ぼすことなく、おさを動かすことを可能とし、これにより、より高い作業能率と生産性とを得ることを可能とし、かつより広い幅の織機を製造することを可能とする新規なガイドシステムに関する。
【０００２】
周知のように、ひなし織機では、送り側のグリッパが、織機の一方の側からよこ糸を、たて糸により形成された開放ひ口内に挿入し、このよこ糸を受け取り側のグリッパに移し、受け取り側のグリッパは、これを織機の反対側のひ口外へと運ぶ。これら２つのグリッパは、それぞれ１つの挿入テープにより、グリッパを固定した端部へと駆動される。挿入テープは、適宜のガイド部材によって支持され、そのひ口内での移動を案内される。
【０００３】
このようなテープガイド部材としては、各種のものが当業界に於いて既に知られている。
【０００４】
これらのテープガイド部材の１つは実質的に、織機のおさに装架され大略織り幅全幅に沿って延びる連続するガイドトラックからなる。
【０００５】
しかしながら、このような連続するテープガイドでは、グリップを備えたテープは、必然的に、開放ひ口の下部たて糸のベッド上に押しつけられることによって滑動しなければならず、テープガイドに載せられる以外にはなく、この結果屡々好ましくない接触を生ずるという欠点を有する。また、ひ口の前記下部たて糸がぶれて、リード側部の連続ガイドの縁部が、おさの運動従ってガイドの運動によって生ずる摩擦により糸が損傷されることを防止するために、別の部材を用いて前記たて糸を支持し、この接触を防止になければならない。
【０００６】
このような欠点は、実質的に織機のおさ上に間隔を隔てて固定された複数のガイド歯からなり、各挿入テープの２つの側部がこれらのガイド歯により形成されるガイド溝内で滑動できるようにするもう１つの既知型式のテープガイド部材により解消される。
【０００７】
この別のテープガイド部材を用いると、ガイド歯は、ひ口の下部たて糸を自由に通ることができ、従って前記たて糸に接触するに至ることなく、挿入テープ及びそのグリッパを支持する。しかしながら、この型式のガイド部材もまた欠点を有する。これらの欠点の主要なものは、このガイド部材がたて糸の方向に挿入テープとガイド歯との間の相対運動を許容せず、これによって、殊にテープ駆動輪が固定織機フレームに装架され、おさとともに動くことができない織機において、挿入テープがまだ前記ガイド歯のガイド溝と協働する時、前記おさを動かすことが絶対に不可能であることである。しかしながら、このようにおさを動かすことは、作業速度を速めるために、最新式の織機では欠かせないことなのである。さらなる欠点は、運動中前記ガイド歯のガイド溝はたて糸及びよこ糸の双方に係合し得るので、これらの糸の汚染又は破断が生ずる可能性があることである。
【０００８】
他の型式のテープガイド部材を用いることで、この欠点を解消する試みがなされた。このテープガイド部材は、織機のおさ上に間隔を隔てて固定され、ひ口が開いている時このひ口の下部たて糸を通って延びる複数のガイド歯からなるものであるが、前記挿入テープを、溝によらず、前記ガイド歯の頂部に設けられ前記ひ口の下部たて糸に平行に延びる中断されない平らな上部の支持表面によって滑動的に支持するものである。
【０００９】
この場合、よこ糸及び又はたて糸に係合する更なる危険性は明らかになく、さらにはひ口の下部たて糸に平行に延びる前記平らな支持表面は、ガイド歯をたて糸の方向に挿入テープに対して動かすことができ、この結果、挿入テープがまだガイド歯の前記平らな支持表面に載っている時に、このガイド歯と一体のおさを動かすことを可能にしている。
【００１０】
しかしながら、この相対運動は、挿入テープの案内状態の変化を伴う。これは、おさの回転、従って前記ガイド歯の平らな支持表面の回転が、これら支持表面が挿入テープに対して平行でないことを意味し、そのため支持表面と挿入テープとの間の接触領域がかなり減少し、これによって、挿入テープとガイド歯との摩耗が増大し、これに加えて、前記支持表面が前記挿入テープの理論的側面から連続的に減少する距離の位置を占める段階中、前記支持表面が前記挿入テープ上で上向きの有害なスラストを発生することとなる。
【００１１】
最後に、別の欠点として、織り幅が広い織機の場合、最適の作動を保証する有効なテープガイドがないことがあげられる。
【００１２】
本発明の目的は、前記挿入テープのための案内条件に影響を与えることなく、挿入テープが未だおさ上に装架したガイドと協働している時でも、おさを動かすことを可能にし、他方、ひ口の下部たて糸の有効な自己位置決めを可能として、ひ口内における前記挿入テープの有効な案内を達成する、ひなし織機内のグリッパ挿入テープ用のガイドシステムを提供することにより、上述の諸欠点を解消することにある。
【００１３】
このことは、織機のおさ上に間隔を隔てて固定された複数のガイド歯を用い、かつ挿入テープ及び関係するグリッパに当接しこれらを案内したて糸方向に延びる凸状の表面を上部に設けることにより実質的に達成される。
【００１４】
このようにすることにより、前記ガイド歯の凸状の表面は、その曲面ゆえにたて糸が滑ってひ口の下部たて糸の面内に位置決めされるので、たて糸がガイド歯上に斜めに位置決めされ得ないことを保証するばかりでなく、問題を生ずることなく、たて糸の方向に前記ガイド歯の凸状の表面と挿入テープとの間の相対的な動きを許容するのである。
【００１５】
これはまた、前記挿入テープ及び又はグリッパ内に形成した、又はこれに付加した凹面と単純に協働して、挿入テープ及び関係するグリッパの有効な案内を許容することが明らかである。
【００１６】
従って、ひ口を形成する上部及び下部たて糸が通る櫛を有するリードを備えたおさと、開いたひ口の前記上部及び下部たて糸の間を往復運動をもって動く少なくとも１つの挿入テープと、よこ糸を前記ひ口を通って運ぶように前記挿入テープの一端部に固定したグリッパと、前記おさに間隔を隔てて固定され、前記ひ口が開いている時前記ひ口の下部たて糸を通って突出する複数のガイド歯と、これらガイド歯に設けられ前記挿入テープ及び前記グリッパを案内する当接案内面とを包含する、ひなし織機のグリッパ挿入テープ用のガイド装置は、本発明によれば、前記ガイド歯の当接案内面がたて糸の方向に延び、前記たて糸の方向に凸状をなす表面を有し、制御手段と協働することを特徴としている。
【００１７】
本発明の好適な実施例によれば、前記ガイド歯の凸状の表面が、中心が前記おさの揺動軸線と合致するか、又はこれに近く、半径が前記挿入テープの下面と前記おさの揺動軸線との間の距離に等しい円弧の形である。
【００１８】
本発明の他の好適な実施例によれば、前記ガイド歯の縁部がテーパ付きである。
【００１９】
本発明のさらに他の好適な実施例によれば、前記制御手段が、前記グリッパの下面に直接形成した凹状の形状面からなる。
【００２０】
本発明の別の好適な実施例によれば、前記制御手段が、前記グリッパと一体のブロックからなり、その下部に前記挿入テープの下面と同じ平面に横たわる母線を有する凹状の形状面を包含する。
【００２１】
本発明のさらに別の好適な実施例によれば、前記制御手段が、前記挿入テープのグリッパ端部の曲がりからなり、この曲がりが、消滅するまで進行的に減少している。
【００２２】
最後に、本発明のまた別の好適な実施例によれば、前記制御手段が、前記挿入テープのグリッパ端部に形成され、消滅するまで進行的に減少する曲がりと、前記グリッパと一体に形成され、その下部に前記挿入テープの下面と同じ平面に横たわる母線を有する凹状の形状面を包含するブロックとからなる。
【００２３】
以下、本発明を非限定的な例としての好適な実施例を示した添付図面を参照して詳述するが、本発明の範囲を逸脱することなくこの実施例に対し技術的あるいは構造的修正をなし得るものである。
【００２４】
図面において、符号１はひなし織機のおさを示す。このおさは、周知のように、図１に略示する揺動軸３を中心として矢印２の方向に揺動する。
【００２５】
おさ１はリード４を支持している。このリードの櫛５を、上部たて糸６，６′及び下部たて糸７，７′が通る。これらのたて糸は形成中の織物９の縁部８において収束し、ひ口１０を形成している。このひ口１０内に、よこ糸を引いている少なくとも１つのグリッパ１１が、往復運動をもって挿入される。この往復運動は挿入テープ１２又は１２′の対応する往復運動により前記グリッパ１１に伝達される。挿入テープの端部には、リブ１３が設けられており、このリブはテープを補強し（特に図４参照）、ねじ１４によりグリッパ１１を固定する。ひ口１０内での移動中、前記挿入テープ１２又は１２′は一連のガイド歯１５により支持されている。これらのガイド歯は固定片１６によりおさ１に対をなして固定されている。固定片１６は貫通ボルト１７により２つのガイド歯を非可動的に支持し、ねじ１８により前記おさ１に鎖錠される。
【００２６】
各ガイド歯１５は前記挿入テープ１２又は１２′のために当接案内面１９を包含する。この当接案内面１９は、たて糸６及び７の方向に延びており、好適には前記揺動軸線３に中心を有する円弧の形をなす凸状をしている。このようにして、ガイド歯１５は、このガイド歯が図２に示すように挿入テープを中心とする対称の位置になく、この位置から僅かに回転している場合でさえも、挿入テープ１２又は１２′を支持し続けることができる。これは、挿入テープ１２及び関係するグリッパ１１が前記ガイド歯５との協働を終わる前に、リード−おさシステムを動かすことができることを意味する。これに加えて、当接案内面１９の曲がりは、ガイド歯１５の上に斜めに位置するようになるたて糸７′′（図３参照）があれば、これを前記曲がりに沿って滑動するように強制して、正しい位置７′を占めるようにする。ガイド歯１５の縁部１５′はこれを助勢するようにテーパ状とされている。
【００２７】
最後に、挿入テープ１２′及び関係するグリッパ１１がひ口１０内を移動している間でさえも、この挿入テープ１２′及び関係するグリッパ１１の案内をさらに有効に果たすために、挿入テープ１２′の端部１２′′（図４及び５参照）は下方に曲がっており、前記端部１２′′の縁部から始まって無効となるまで進行的に減少する曲率を有する凹面を形成する。前記グリッパ１１の下面２０はまた凹状の形状部２１を備えている。この凹状の形状部２１は、グリッパ１１それ自体に直接に形成するか、又はこのグリッパ１１に固定されるブロック２２に形成することができる。後者の凹状の形状部２１は、その母線が常に挿入テープ１２′の下面２３の平面内にあるように形成される。
【図面の簡単な説明】
【図１】本発明によるテープガイド装置を用いたひなし織機の部分的な斜視図で、図示を明確化するためにテープと関係するグリッパとを省略して示す図である。
【図２】図１の織機の側面図である。
【図３】図１の部分的斜視図であって、本発明のテープガイド装置の利点を示す図である。
【図４】本発明装置の変形例の正面図である。
【図５】図４のＡ−Ａ線に沿う側面図である。
【符号の説明】
１    おさ
２    矢印
３    揺動軸
４    リード
５    櫛
６，６′  上部たて糸
７，７′  部たて糸
８    縁部
９    織物
１０    ひ口
１１    グリッパ
１２，１２′  挿入テープ
１３    リブ
１４    ねじ
１５    ガイド歯
１５′  縁部
１６    固定片
１７    貫通ボルト
１８    ねじ
１９    当接案内面
２０    下面
２１    凹状の形状部
２２    ブロック
２３    下面
【図１】
0003557505.tif 000002
【図２】
0003557505.tif 000003
【図３】
0003557505.tif 000004
【図４】
0003557505.tif 000005
【図５】
0003557505.tif 000006